(57)【特許請求の範囲】
【請求項１】
原稿の画像を読み取る画像読取部と、
前記画像読取部での読取条件の設定を受け付ける条件設定入力キーと、読取動作の開始指示を受け付ける開始指示入力キーを有する入力部と、
前記読取条件を表示する表示部と、を備えた原稿読取装置であって、
前記開始指示入力キーに対する入力操作があった際に、該入力操作が所定時間以上継続した長押し操作であるか否か判定する長押し判定部を備え、該長押し判定部により長押し操作であると判定された場合は、前記開始指示入力キーの入力操作を無効にすると共に、前記条件設定入力キーによって設定されている読取条件及び当該読取条件の設定を変更可能にする操作キーを前記表示部に表示することを特徴とする原稿読取装置。
【請求項２】
請求項１に記載の読取装置を備えた複写装置。
【発明の詳細な説明】
【技術分野】
【０００１】
本発明は、原稿の画像を読み取る原稿読取装置及び該装置を備えた複写装置に関するものである。
【背景技術】
【０００２】
原稿読取装置（以下、読取装置という）は、テンキー等の各種キーから成る入力部と、液晶表示装置等から成る表示部と、を備え、原稿の両面を読み取るのか片面を読み取るのか等の読取条件が、上記入力部から入力され、また、読取条件は上記表示部に表示することができる。入力部には、読取動作の開始を指定するスタートキーや、読取動作の中止を指定するストップキー、読取条件を初期状態に戻すためのリセットキーが具備されている。読取装置は、読取条件が入力された後、スタートキーに対して入力操作がされると、入力された読取条件に基づいて読取動作を開始し、読取動作中にユーザによりストップキーやリセットキーが押下されると、読取動作を中止する。
【０００３】
特許文献１には、読取装置を備えた複写装置として、それぞれが読取条件等を指定する複数のキーを表示する表示部を有するものが開示されている。該複写装置では、複数のキーのそれぞれが所定時間以上押されたか否かを判別し、所定時間未満押された場合は、該キーの選択を検知し、所定時間以上押された場合は、当該キーが選択設定されたと判断すると共に、それまでに設定された条件等に基づいて複写を実行する。
【先行技術文献】
【特許文献】
【０００４】
【特許文献１】特開２００６−１０１２２１号公報
【発明の概要】
【発明が解決しようとする課題】
【０００５】
しかし、従来の読取装置では、スタートキーに対する入力操作直後に読取条件の設定ミスに気付いた場合や読取条件を正確に設定したか不安になった場合に、ストップキー／リセットキーをすぐ押下しても、即座に読取動作は中止されない。その結果、読取装置を備える複写装置では、モードによっては、既に記録紙の給紙が始まっており、実際に中止されるまでの間の記録紙やトナーが無駄となる。また、自動原稿送り装置（ＡＤＦ：Auto Document Feeder）を用いて読み取る場合は、ストップキー／リセットキーの押下直後に読取動作が終了するわけではなく、原稿全てが排出されるまで待つ必要がある。さらに、読取条件の再設定後、排出された原稿をＡＤＦの原稿載置トレイに戻す必要がある。また、リセットキーを押下して読取動作を止めたときは、読取条件が全て初期状態になってしまうので、読取条件を全て再設定する必要があるという問題がある。
【０００６】
本発明は、上記問題に鑑み、読取条件を設定し、スタートキーに対する入力直後に読取条件の設定ミスに気付いた場合や読取条件を正確に設定したか不安になった場合に、即座に読取条件を確認できると共に読取条件の再設定が可能な原稿読取装置及び該装置を備えた複写装置を提供するものである。
【課題を解決するための手段】
【０００７】
上記課題を解決するために、本発明の第１の技術手段は、原稿の画像を読み取る画像読取部と、前記画像読取部での読取条件の設定を受け付ける条件設定入力キーと、読取動作の開始指示を受け付ける開始指示入力キーを有する入力部と、前記読取条件を表示する表示部と、を備えた原稿読取装置であって、前記開始指示入力キーに対する入力操作があった際に、該入力操作が所定時間以上継続した長押し操作であるか否か判定する長押し判定部を備え、該長押し判定部により長押し操作であると判定された場合は、前記開始指示入力キーの入力操作を無効にすると共に、前記条件設定入力キーによって設定されている読取条件及び当該読取条件の設定を変更可能にする操作キーを前記表示部に表示することを特徴としたものである。
【００１０】
本発明の第２の技術手段は、第１の技術手段の読取装置を備えた複写装置である。
【発明の効果】
【００１１】
本発明の原稿読取装置によれば、読取開始のスタートキーに対する入力操作直後に読取条件の設定ミスに気付いた場合や読取条件を正確に設定したか不安になった場合に、即座に読取条件を確認できると共に読取条件を再設定できる。
【図面の簡単な説明】
【００１２】
【図１】本発明の一実施形態である複写装置の一例の外観図である。
【図２】本発明の一実施形態である複写装置の一例のブロック図である。
【図３】図１の複写装置の操作装置を拡大して示した平面図である。
【図４】図３の操作装置の表示パネルに表示される設定画面の一例を示す図である。
【図５】図３の操作装置の表示パネルに表示される設定画面の他の例を示す図である。
【図６】図１及び図２の複写装置が行う処理の一例を説明するフローチャートである。
【図７】参考例の複写装置のブロック図である。
【図８】図７の複写装置が行う処理の一例を説明するフローチャートである。
【発明を実施するための形態】
【００１３】
以下、図１乃至図５を用いて、本発明の原稿読取装置及びその原稿読取装置を備えた複写装置を説明する。図１は、本発明の一実施形態である複写装置の一例の外観図、図２は、同複写装置のブロック図、図３は、図１の複写装置の操作装置を拡大して示した平面図である。図４及び図５はそれぞれ、図３の操作装置の表示パネルに表示される設定画面の一例を示す図である。
【００１４】
図１及び図２に示すように、複写装置１は、複写機能及びプリンタ機能を備える複合機であって、操作装置２と、制御部３と、画像読取部（スキャナ部）４と、画像処理部５と、画像記憶部６と、画像形成部７と、光学センサ８と、モータ用のドライバ９，１０と、ドライバ９に接続されたプラテン原稿走査部駆動モータ１１と、ドライバ１０に接続された原稿搬送ローラ駆動モータ１２とを備える。
【００１５】
制御部３は、ＲＯＭ（Read Only Memory）に記憶の制御プログラムに従い、各部の動作を制御し複写装置１全体を制御するもので、各種演算等を行うＣＰＵ（Central Processing Unit）やその演算等の処理のための一時的記憶手段として用いられるＲＡＭ（Radom Access Memory）等から構成され、また、通信ライン１３を介してパーソナルコンピュータ等の外部機器Ｍと接続されている。本発明の特徴に係る制御部３の長押し判定部３ａについては後述する。
画像読取部４は、原稿の画像を読み取るもので、本例では、該画像読取部４に原稿を搬送するＡＤＦ４ａが接続されている。
画像処理部５は、画像読取部４で読み取られた画像や、画像データバス１４を介して接続された外部機器から受信した画像に各種画像処理を施すものである。
【００１６】
画像記憶部６は、画像処理部５により画像処理が施された画像を記憶する。
画像形成部７は、画像読取部４で読み取られ画像処理部５により画像処理が施された画像を用紙等の記録媒体上に形成する。
光学センサ部８は、ＡＤＦ４ａの原稿トレイ４ｂに原稿が有るか否かを感知する原稿有無センサ等から成る。
操作装置２は、図３に示すように、各種ハードウェアキーが配置されて成る操作パネル２１と、小型のタッチパネル一体型表示装置から構成されている表示パネル２２とを備え、読取条件及び画像形成条件の設定を受け付ける。操作装置２は、本発明の「入力部」及び「表示部」に相当する。
【００１７】
操作パネル２１には、読取条件及び画像形成条件の設定を受け付ける条件設定入力キー２１ａや、複写動作の開始指示を受け付ける開始指示入力キー（スタートキー）２１ｂ、複写動作の中止を指定するストップキー２１ｃ、複写条件を初期状態に戻すためのリセットキー２１ｄ等が設けられている。
表示パネル２２は、例えば、図４に示すような設定画面Ｇ１を表示する。設定画面Ｇ１では、現在設定されている、「原稿」のサイズ等の読取条件、「コピーモード」や「コピー濃度」、「倍率」、「用紙」のサイズ等の画像形成条件が表示されていると共に、これら複写条件の設定を変更するための入力キーＫ１が表示されている。
【００１８】
この複写装置１を用いる場合、ユーザは、例えば、入力キーＫ１を押下後、表示パネル２２での表示が別画面に遷移するので、当該別画面を見ながら、操作パネル２１や表示パネル２２を操作することにより、上記複写条件の設定を変更できる。そして、ユーザは、設定画面Ｇ１を介した複写条件の設定が完了した後、画像形成７を用いた複写動作を開始させるために、スタートキー２１ｂを押下する。しかし、スタートキー２１ｂを押し下げた直後に複写条件の設定ミスに気付く場合や複写条件を正確に設定したか不安になる場合がある。このような場合に、ユーザがスタートキー２１ｂを押し下げ始めてから引き続きスタートキー２１ｂを所定時間押し下げ続けると、複写装置１は複写動作を開始するのではなく、スタートキー２１ｂに対する入力操作を無効して、図５の設定画面Ｇ２のように、現在設定されている複写条件が確認可能であり変更可能な画面を表示する。
【００１９】
これを可能とするために、複写装置１の制御部３は、スタートキー２１が押下された際に、所定の操作すなわちスタートキー２１に対する入力操作が所定時間以上継続する操作（以下、長押し操作）の有無を判定する長押し判定部３ａを有する。そして、判定部３ａが、長押し操作がないと判定した場合、複写装置１は、複写動作すなわち読み込み動作及び画像形成動作を開始し、長押し操作があったと判定した場合は、複写動作を開始せず、表示パネル２２に設定画面Ｇ２を表示する。
したがって、ユーザは、スタートキー２１ｂを押し下げた直後に複写条件の設定ミスに気付いた場合等に、即座に複写条件を確認できると共に複写条件を再設定できる。したがって、トナー／用紙の無駄がなくなる。
【００２０】
なお、図５の設定画面Ｇ２は、図４の設定画面Ｇ１と同様に複写条件の設定を変更するための入力キーＫ２が表示されており、入力キーＫ２を押下後、表示パネル２２での表示が別画面に遷移するので、当該別画面を見ながら、操作パネル２１を操作することにより、上記複写条件の設定を変更できる。設定画面Ｇ２には、「再開」キーＫ３が表示されており、当該キーＫ３が操作されると、複写装置１は、複写動作を開始する。「キャンセル」キーも表示されており、当該キーＫ４が操作されると、ジョブをキャンセルし、表示パネル２２に例えば図４の設定画面Ｇ１を表示する。
【００２１】
図６は、複写装置１が行う処理の一例を説明するフローチャートである。
複写装置１は、スタートキー２１ｂに対する入力操作を検知すると（ステップＳ１）、該入力操作が所定時間以上継続した操作であるか否か判定する（ステップＳ２）。所定時間の情報は、図示しないＲＯＭ等の記憶手段に記憶されている。
所定時間以上継続した操作でない場合（ＮＯの場合）は、長押し判定部３ａが長押し操作がなかったものと判定し、複写装置１は、複写動作を開始する（ステップＳ３）。
一方、ステップＳ２において、所定時間以上継続した操作である場合（ＹＥＳの場合）、長押し判定部３ａが長押し操作があったものと判定し、複写装置１は、スタートキー２１ｂに対する入力操作を無効して、設定画面Ｇ２を表示パネル２２に表示する（ステップＳ４）。
【００２２】
図７は、参考例の複写装置のブロック図である。なお、本例の複写装置の構成部のうち、図２の複写装置１と同様な部分については、同じ参照符号を付すことによりその説明を省略する。
図７の複写装置１´は、複写装置１とは異なり、制御部３´が、スタートキー２１が押下された際に、その後、所定時間内に、原稿台４ｂに載せられていた原稿を取り除く操作（以下、取り除き操作という）がなされたか否かを判定する取り除き判定部３ａ´を有する。そして、取り除き判定部３ａが、取り除き操作がなされていないと判定した場合、複写装置１´は、複写動作を開始し、取り除き操作がなされたと判定した場合は、複写動作を開始せず、表示パネル２２に設定画面Ｇ２を表示する。
したがって、複写装置１´においても、ユーザが、スタートキー２１ｂを押下直後に複写条件の設定ミスに気付いた場合等に、即座に複写条件を確認できると共に複写条件を再設定できる。
【００２３】
図８は、複写装置１´が行う処理の一例を説明するフローチャートである。
複写装置１は、スタートキー２１ｂの押下を検知すると（ステップＳ１１）、光学センサ８からの出力基づいて、原稿台４ｂから原稿が取り除かれたか否か判定する（ステップＳ１２）。
取り除かれていない場合（ＮＯの場合）は、スタートキー２１ｂの押下開始から所定時間経過したか否かを判定する（ステップＳ１３）。
所定時間経過していない場合（ＮＯの場合）、ステップＳ１２へ処理を戻すが、経過していた場合（ＹＥＳの場合）、取り除き判定部３ａが取り除き操作がなされなかったと判定し、複写装置１´は、複写動作を開始する（ステップＳ１４）。
一方、ステップＳ１２において、原稿が取り除かれたと判定した場合（ＹＥＳの場合）、取り除き判定部３ａが取り除き操作がなされたと判定し、複写装置１´は、設定画面Ｇ２を表示パネル２２に表示する（ステップＳ１５）。
【００２４】
上述の複写装置（読取装置）は、スタートキー２１ｂが押下された際に、スタートキー２１ｂを所定時間以上押下する操作や、ユーザがＡＤＦ４ａの原稿台４ｂに載置された原稿をスタートキー２１ｂの操作後所定時間以内に取り除く操作等の所定の操作がなされたか否か判定し、所定の操作がなされていないと判定された場合は、読取動作等の複写動作を開始し、所定の操作がなされたと判定された場合は、複写動作を開始せず、表示パネル２２に設定画面Ｇ２を表示する。
また、上記所定の操作は、スタートキー２１ｂと別のハードウェアキーとを同時に押下する操作であってもよいし、スタートキー２１ｂとソフトウェアキーが表示された表示パネル２２（タッチパネル）とを同時に押下する操作であってもよい。
なお、複写動作の開始指示を受け付ける開始指示入力キーは、スタートキー２１ｂのようなハードウェアキーに限らず、表示パネル２２に表示するソフトウェアキーであってもよい。
【符号の説明】
【００２５】
１，１´…複写装置、２…操作装置、３，３´…制御部、３ａ…長押し判定部、３ａ´…取り除き判定部、４…画像読取部、４ａ…ＡＤＦ、７…画像形成部、８…光学センサ部。
【図１】
0005624490.tif 000002
【図２】
0005624490.tif 000003
【図３】
0005624490.tif 000004
【図４】
0005624490.tif 000005
【図５】
0005624490.tif 000006
【図６】
0005624490.tif 000007
【図７】
0005624490.tif 000008
【図８】
0005624490.tif 000009